(57)【要約】【課題】開閉器投入時の突入電流を和らげることができる系統連系装置を得る。【解決手段】基幹電源に接続され分散電源３ａを有し負荷４ａに電力を供給する第１の配電線２ａと、基幹電源に接続され分散電源３ｂを有し負荷４ｂに電力を供給する第２の配電線２ｂとを接続遮断する開閉器５、開閉器５の第１の配電線側の電圧を計測する第１の電圧計６ａ及び開閉器５の第２の配電線側の電圧を計測する第２の電圧計６ｂを備え、第１の電圧計６ａと第２の電圧計６ｂで計測されたそれぞれの電圧又はその両電圧の差を通信手段８を介して取得し、両電圧の差に応じて分散電源３の電力出力又は負荷４の消費電力を通信手段８を介して制御して両電圧の差を小さくして、開閉器５を通信手段８を介して投入し両配電線２ａ，２ｂを接続させる。【選択図】図１
2010022177.tif 000002
【特許請求の範囲】
【請求項１】
基幹電源に接続され分散電源を有し負荷に電力を供給する第１の配電線と、前記基幹電源に接続され分散電源を有し負荷に電力を供給する第２の配電線とを接続遮断する開閉器、前記開閉器の第１の配電線側の電圧を計測する第１の電圧計及び前記開閉器の第２の配電線側の電圧を計測する第２の電圧計を備えると共に、
前記第１の電圧計と前記第２の電圧計で計測されたそれぞれの電圧又はその両電圧の差を通信手段を介して取得し、前記両電圧の差に応じて分散電源の電力出力又は負荷の消費電力を通信手段を介して制御して前記両電圧の差を小さくして、前記開閉器を通信手段を介して投入し前記両配電線を接続させる制御装置を備えたことを特徴とする系統連系装置。
【請求項２】
前記制御装置は、前記両電圧の差に応じて分散電源の電力出力又は負荷の消費電力における有効電力及び無効電力の少なくともいずれか一方を通信手段を介して制御し、前記両電圧の差を小さくして、前記開閉器を通信手段を介して投入し前記両配電線を接続させることを特徴とする請求項１記載の系統連系装置。
【請求項３】
基幹電源に接続され分散電源を有し負荷に電力を供給する第１の配電線と、前記基幹電源に接続され分散電源を有し負荷に電力を供給する第２の配電線とを接続遮断する開閉器、及び前記開閉器の第１の配電線側の電圧と第２の配電線側の電圧の電圧位相の差を検出する位相差検出器を備えると共に、
前記位相差検出器で検出された電圧位相の差を通信手段を介して取得し、電圧位相の差に応じて分散電源の電力出力又は負荷の消費電力を通信手段を介して制御して前記電圧位相の差を小さくして、前記開閉器を通信手段を介して投入し前記両配電線を接続させる制御装置を備えたことを特徴とする系統連系装置。
【請求項４】
前記制御装置は、電圧位相の差に応じて分散電源の電力出力又は負荷の消費電力における有効電力及び無効電力の少なくともいずれか一方を通信手段を介して制御し、前記電圧位相の差を小さくして、前記開閉器を通信手段を介して投入し前記両配電線を接続させることを特徴とする請求項３記載の系統連系装置。
【請求項５】
基幹電源に接続され分散電源を有し負荷に電力を供給する第１の配電線と、前記基幹電源に接続され分散電源を有し負荷に電力を供給する第２の配電線とを接続遮断する開閉器、前記開閉器の第１の配電線側の電圧の位相を検出する第１の位相検出器、及び前記開閉器の第２の配電線側の電圧の位相を検出する第２の位相検出器を備えると共に、
前記第１の位相検出器と前記第２の位相検出器で検出されたそれぞれの電圧位相を通信手段を介して取得し、両電圧位相の差に応じて分散電源の電力出力又は負荷の消費電力を通信手段を介して制御して前記両電圧位相の差を小さくして、前記開閉器を通信手段を介して投入し前記両配電線を接続させる制御装置を備えたことを特徴とする系統連系装置。
【請求項６】
基幹電源に接続され分散電源を有し負荷に電力を供給する第１の配電線と、前記基幹電源に接続され分散電源を有し負荷に電力を供給する第２の配電線とを接続遮断する開閉器、前記開閉器の第１の配電線側の電圧を計測する第１の電圧計、前記開閉器の第２の配電線側の電圧を計測する第２の電圧計及び前記第１の電圧計で計測した電圧と前記第２の電圧計で計測した電圧との電圧位相の差を検出する位相差検出器を備えると共に、
前記第１の電圧計と前記第２の電圧計で計測されたそれぞれの電圧又はその両電圧の差を通信手段を介して取得し、前記両電圧の差に応じて分散電源の電力出力又は負荷の消費電力における有効電力及び無効電力の一方を通信手段を介して制御して前記両電圧の差を小さくし、且つ、前記位相差検出器で検出された電圧位相差を通信手段を介して取得し、電圧位相差に応じて分散電源の電力出力又は負荷の消費電力における有効電力及び無効電力の他方を通信手段を介して制御して前記電圧位相の差を小さくして、前記開閉器を通信手段を介して投入し前記両配電線を接続させる制御装置を備えたことを特徴とする系統連系装置。
【請求項７】
基幹電源に接続され分散電源を有し負荷に電力を供給する第１の配電線と、前記基幹電源に接続され分散電源を有し負荷に電力を供給する第２の配電線とを接続遮断する開閉器、前記開閉器の第１の配電線側の電圧を計測する第１の電圧計、前記開閉器の第２の配電線側の電圧を計測する第２の電圧計、前記第１の電圧計で計測した電圧の位相を検出する第１の位相検出器及び前記第２の電圧計で計測した電圧の位相を検出する第２の位相検出器を備えると共に、
前記第１の電圧計と前記第２の電圧計で計測されたそれぞれの電圧又はその両電圧の差を通信手段を介して取得し、前記両電圧の差に応じて分散電源の電力出力又は負荷の消費電力における有効電力及び無効電力の一方を通信手段を介して制御して前記両電圧の差を小さくし、且つ、前記第１の位相検出器と前記第２の位相検出器で検出されたそれぞれの電圧位相を通信手段を介して取得し、両電圧位相の差に応じて分散電源の電力出力又は負荷の消費電力における有効電力及び無効電力の他方を通信手段を介して制御して前記両電圧位相の差を小さくして、前記開閉器を通信手段を介して投入し前記両配電線を接続させる制御装置を備えたことを特徴とする系統連系装置。
【請求項８】
基幹電源に接続され分散電源を有し負荷に電力を供給する第１の配電線と、前記基幹電源に接続され分散電源を有し負荷に電力を供給する第２の配電線とを接続遮断する開閉器、前記開閉器の第１の配電線側の電圧を計測する第１の電圧計及び前記開閉器の第２の配電線側の電圧を計測する第２の電圧計を備え、
前記第１の電圧計と前記第２の電圧計で計測されたそれぞれの電圧又はその両電圧の差を通信手段を介して取得し、前記両電圧の差に応じて分散電源の電力出力又は負荷の消費電力を通信手段を介して制御して前記両電圧の差を小さくして、前記開閉器を通信手段を介して投入し前記両配電線を接続させるようにした系統連系方法。
【請求項９】
基幹電源に接続され分散電源を有し負荷に電力を供給する第１の配電線と、前記基幹電源に接続され分散電源を有し負荷に電力を供給する第２の配電線とを接続遮断する開閉器及び前記開閉器の第１の配電線側の電圧と第２の配電線側の電圧の電圧位相の差を検出する位相差検出器を備え、
前記位相差検出器で検出された電圧位相の差を通信手段を介して取得し、前記電圧位相の差に応じて分散電源の電力出力又は負荷の消費電力を通信手段を介して制御して前記電圧位相の差を小さくして、前記開閉器を通信手段を介して投入し前記両配電線を接続させるようにした系統連系方法。
【請求項１０】
基幹電源に接続され分散電源を有し負荷に電力を供給する第１の配電線と、前記基幹電源に接続され分散電源を有し負荷に電力を供給する第２の配電線とを接続遮断する開閉器、前記開閉器の第１の配電線側の電圧の位相を検出する第１の位相検出器及び前記開閉器の第２の配電線側の電圧の位相を検出する第２の位相検出器を備え、
前記第１の位相検出器と前記第２の位相検出器で検出されたそれぞれの電圧位相を通信手段を介して取得し、両電圧位相の差に応じて分散電源の電力出力又は負荷の消費電力を通信手段を介して制御して前記両電圧位相の差を小さくして、前記開閉器を通信手段を介して投入し前記両配電線を接続させるようにした系統連系方法。
【発明の詳細な説明】
【技術分野】
【０００１】
この発明は、異なる配電線を接続遮断する系統連系装置及び系統連系方法に関し、特に、異なる配電線を接続する開閉器の投入時の突入電流の大きさを和らげるものに係わる。
【背景技術】
【０００２】
２本の配電線を接続しようとする場合、両配電線を接続する開閉器の両端の電圧の大きさや位相の差が大きいと、開閉器の投入時に過大な電流が流れる。その結果、系統に動揺が生じ好ましくない。この電流を抑制するため、投入時にリアクトルを挿入したり、逆並列サイリスタを使用して電流を抑制している。特許文献１は関連技術を示すものである。
【０００３】
【特許文献１】特開２００６−２３８６６５号公報
【発明の開示】
【発明が解決しようとする課題】
【０００４】
現状では配電線に接続されている機器は主に負荷であるため投入前の開閉器間の電圧は一般的には似通っているため大きな問題にはならない。しかし、配電線に太陽光発電や風力発電などの分散電源が多数導入されてくると、開閉器の両端間の電圧は大きく異なってくることが予想され、何がしかの対応が必要となってくる。
この発明は、配電線に接続されている分散電源の電力出力や負荷の消費電力を開閉器投入の際に制御して、開閉器投入時の突入電流を和らげることができる系統連系装置及び系統連系方法を得ることを目的とする。
【課題を解決するための手段】
【０００５】
この発明に係わる系統連系装置及び系統連系方法は、基幹電源に接続され分散電源を有し負荷に電力を供給する第１の配電線と、前記基幹電源に接続され分散電源を有し負荷に電力を供給する第２の配電線とを接続遮断する開閉器、前記開閉器の第１の配電線側の電圧を計測する第１の電圧計及び前記開閉器の第２の配電線側の電圧を計測する第２の電圧計を備え、前記第１の電圧計と前記第２の電圧計で計測されたそれぞれの電圧又はその両電圧の差を通信手段を介して取得し、前記両電圧の差に応じて分散電源の電力出力又は負荷の消費電力を通信手段を介して制御して前記両電圧の差を小さくして、前記開閉器を通信手段を介して投入し前記両配電線を接続させるものである。
【０００６】
また、この発明に係わる系統連系装置及び系統連系方法は、基幹電源に接続され分散電源を有し負荷に電力を供給する第１の配電線と、前記基幹電源に接続され分散電源を有し負荷に電力を供給する第２の配電線とを接続遮断する開閉器及び前記開閉器の第１の配電線側の電圧と第２の配電線側の電圧の電圧位相の差を検出する位相差検出器を備え、前記位相差検出器で検出された電圧位相の差を通信手段を介して取得し、前記電圧位相の差に応じて分散電源の電力出力又は負荷の消費電力を通信手段を介して制御して前記電圧位相の差を小さくして、前記開閉器を通信手段を介して投入し前記両配電線を接続させるものである。
【０００７】
さらに、この発明に係わる系統連系装置及び系統連系方法は、基幹電源に接続され分散電源を有し負荷に電力を供給する第１の配電線と、前記基幹電源に接続され分散電源を有し負荷に電力を供給する第２の配電線とを接続遮断する開閉器、前記開閉器の第１の配電線側の電圧の位相を検出する第１の位相検出器及び前記開閉器の第２の配電線側の電圧の位相を検出する第２の位相検出器を備え、前記第１の位相検出器と前記第２の位相検出器で検出されたそれぞれの電圧位相を通信手段を介して取得し、両電圧位相の差に応じて分散電源の電力出力又は負荷の消費電力を通信手段を介して制御して前記両電圧位相の差を小さくして、前記開閉器を通信手段を介して投入し前記両配電線を接続させるものである。
【発明の効果】
【０００８】
この発明の系統連系装置及び系統連系方法によれば、配電線に接続されている分散電源の電力出力や負荷の消費電力を開閉器投入の際に制御して、開閉器投入時の突入電流を和らげることができる。
【発明を実施するための最良の形態】
【０００９】
実施の形態１．
図１はこの発明の実施の形態１における系統連系装置を示す構成図である。変電所１は共通の基幹電源（図示せず）からの電力を変電し、第１の配電線２ａと第２の配電線２ｂに電力を供給する。３ａは分散電源であり、複数個の分散電源３ａが第１の配電線２ａに接続され、第１の配電線２ａを通じて電力を供給する。同様に、３ｂは分散電源であり、複数個の分散電源３ｂが第２の配電線２ｂに接続され第２の配電線２ｂを通じて電力を供給する。分散電源は、例えば、太陽光発電装置や風力発電装置である。４ａは負荷であり、複数の負荷４ａが第１の配電線３ａに接続され、電力の供給を受けている。４ｂは負荷であり、複数の負荷４ｂが第２の配電線３ｂに接続され、電力の供給を受けている。なお、添え字ａ，ｂは、それぞれ第１の配電線２ａ，第２の配電線２ｂに係わることを示している。
【００１０】
開閉器５は、第１の配電線２ａと第２の配電線２ｂを接続遮断する。電圧計６ａは開閉器５の第１の配電線２ａ側の電圧を計測する。電圧計６ｂは開閉器５の第２の配電線２ｂ側の電圧を計測する。制御装置７は、電圧計６ａ，６ｂで計測されたそれぞれの電圧の情報を通信ネットワーク８を介して取込み、両電圧の差に応じて分散電源３ａ，３ｂや負荷４ａ，４ｂを通信ネットワーク８を介して両電圧の差を小さくするように制御指令して、開閉器５を通信ネットワーク８を介して投入制御指令して、両配電線２ａ，２ｂを接続する。通信ネットワークは通信線でも良く、両者を含めて通信手段と呼ぶ。
【００１１】
図１において、開閉器５が開放されており、その開閉器５を投入しようとする場合、第１の配電線２ａと第２の配電線２ｂの電圧の大きさが大きく異なっていると、開閉器５を投入した際に大きな電流が流れ系統に動揺が生じるため好ましくない。そこで開閉器５の第１の配電線２ａ側と第２の配電線２ｂ側の電圧を電圧計６ａ，６ｂでそれぞれ測定して、第１の配電線２ａの電圧Ｖａ＞第２の配電線２ｂの電圧Ｖｂならば、
【００１２】
（１）第１の配電線２ａの分散電源３ａの有効及び無効電力の少なくともいずれか一方を制御して電力出力ＰＧａを減少させ、負荷４ａの有効及び無効電力の少なくともいずれか一方を制御して消費電力ＰＬａを増加させれば、電圧は下がり、
（２）第２の配電線２ｂの分散電源３ｂの有効及び無効電力の少なくともいずれか一方を制御して電力出力ＰＧｂを増加させ、負荷４ｂの有効及び無効電力の少なくともいずれか一方を制御して消費電力ＰＬｂを減少させれば、電圧は上がるため、
結果的に、ＶａとＶｂの電圧の大きさは近づく。前記（１）と前記（２）の処理を繰り返せば、電圧ＶａとＶｂの大きさは近づいていくことになる。最終的に電圧ＶａとＶｂの差がしきい値（開閉器の投入接続時の動揺が許容できる絶対値（｜Ｖａ｜―｜Ｖｂ｜）の設定値）以下となったときに開閉器５を閉じるようにすれば、投入接続時の動揺が和らげられる（なお、｜Ｖａ｜，｜Ｖｂ｜はＶａ，Ｖｂの電圧の大きさを表す）。
【００１３】
前述では、第１の配電線２ａの分散電源３ａの電力出力ＰＧａ、負荷４ａの消費電力ＰＬａ、第２の配電線２ｂの分散電源３ｂの電力出力ＰＧｂ、負荷４ｂの消費電力ＰＬｂをそれぞれ制御させたが、これらのいずれか１つを制御しても、両電圧の差を減少させることができる。
【００１４】
図２は実施の形態１における制御装置の動作を説明するフローチャートである。図２では図１の開閉器５が開放されている状態から投入される際の動作について説明している。ステップ１１において、制御装置７が分散電源３ａ，３ｂ、負荷４ａ，４ｂへ送信する指令値αを初期化する。ステップ１２において、開閉器５の第１の配電線２ａ側の電圧Ｖａを電圧計６ａより取込み、開閉器５の第２の配電線２ｂ側の電圧Ｖｂを電圧計６ｂより取込む。ステップ１３において、｜Ｖａ｜と｜Ｖｂ｜の大きさの差を比較し、差の絶対値がしきい値以下であれば、開閉器５を投入しても突入電流は小さいと判断し、ステップ１４で開閉器５に投入指令を送信して、開閉器５を投入し両配電線２ａ，２ｂを接続する。
【００１５】
一方、ステップ１３において、｜Ｖａ｜と｜Ｖｂ｜の差の絶対値がしきい値に対して大きいならば、分散電源３ａ，３ｂ、負荷４ａ，４ｂへ制御指令を送信するために、ステップ１５〜ステップ１８の処理を行う。ステップ１５において、｜Ｖａ｜と｜Ｖｂ｜のどちらが大きいかによって、αの値をＤだけ増減させる。なお、ここで、Ｄは１以下の正の値とする。｜Ｖａ｜＞｜Ｖｂ｜であるとき、αの値をＤだけ減ずる（ステップ１６）。逆に、｜Ｖａ｜＞｜Ｖｂ｜でないとき、αの値をＤだけ増加させる（ステップ１７）。ステップ１８において、第１,第２の配電線２ａ,２ｂの分散電源３ａ,３ｂ、負荷４ａ,４ｂに、その発電量（電力出力）ＰＧａ,ＰＧｂ、負荷量（消費電力）ＰＬａ，ＰＬｂを変更、すなわち、その有効電力及び無効電力の少なくともいずれか一方を変更するように制御指令を送る。
【００１６】
このとき，ＰＧａ＝ＰＧａ×α、ＰＬａ＝ＰＬａ×（２−α）、ＰＧｂ＝ＰＧｂ×（２−α）、ＰＬｂ＝ＰＬｂ×αで制御する。例えば、発電量（電力出力）ＰＧａ,ＰＧｂ、負荷量（消費電力）ＰＬａ，ＰＬｂの各有効電力について制御変更する。各有効電力の代わりに各無効電力について制御変更してもよい。又は各有効電力の代わりに、有効電力と無効電力の両方をそれぞれ制御変更してもよい。この後、ステップ１２〜１３、ステップ１５〜１８を繰り返し、ステップ１３の条件が満たされ、｜Ｖａ｜と｜Ｖｂ｜の差の絶対値がしきい値より小さくなると、ステップ１４で開閉器５に投入指令を送信し、両配電線２ａ,２ｂが接続される。
【００１７】
なお、制御装置７が、電圧計６ａ，６ｂで計測されたそれぞれの電圧の情報を通信手段を介して取込む例を示したが、図２のステップ１２で、電圧計６ａ，６ｂで計測されたそれぞれの電圧の減算情報、つまり両電圧の差｜Ｖａ｜―｜Ｖｂ｜の情報を通信手段を介して取込み、これを基に、ステップ１３で、｜Ｖａ｜―｜Ｖｂ｜の絶対値としきい値を比較し、ステップ１５において、｜Ｖａ｜―｜Ｖｂ｜＞０で判断するようにしてもよい。
以上のように、実施の形態１では、第１の電圧計と第２の電圧計で計測されたそれぞれの電圧又はその両電圧の差を通信手段を介して取得し、両電圧の差に応じて第１，第２の配電線２ａ，２ｂに接続されている分散電源３ａ，３ｂや負荷４ａ，４ｂを制御するので、サイリスタやリアクトルを系統に追加することなく、開閉器投入時の突入電流を和らげることができ、コストを削減できる。
【００１８】
実施の形態２．
実施の形態１では、両電圧の差の大きさを基に、分散電源の電力出力や負荷の消費電力の変更制御指令を送信するが、開閉器の両端の電圧位相の差に応じて、分散電源の電力出力や負荷の消費電力を変更制御して、開閉器の両端の電圧位相の差を小さくして、開閉器を投入しても突入電流を抑制することができる。図３は実施の形態２における系統連系装置を示す構成図である。なお、各図中同一符号は同一又は相当部分を示し、説明を省略する。符号１〜８の部分は実施の形態１のそれと同一又は相当部分である。９は位相差検出器であり、開閉器５の第１の配電線２ａ側の電圧計６ａと第２の配電線２ｂ側の電圧計６ｂとの電圧位相の差を検出する。この電圧位相の差∠Ｖａ―∠Ｖｂ（Ｖｂに対するＶａの位相）が通信ネットワーク又は通信線８を介して制御装置７に電圧位相の差の情報として取込まれる。
【００１９】
制御装置７は、電圧位相の差∠Ｖａ―∠Ｖｂを取込み、電圧位相の差に応じて分散電源３ａ，３ｂや負荷４ａ，４ｂを通信ネットワーク８を介して制御指令して、電圧位相の差を小さくして、開閉器５を通信ネットワーク８を介して投入制御指令して、両配電線２ａ，２ｂを接続する。図３において、開閉器５が開放されており、その開閉器５を投入しようとする場合、第１の配電線２ａと第２の配電線２ｂの電圧位相の差が大きく異なっていると、開閉器５を投入した際に大きな電流が流れ系統に動揺が生じるため好ましくない。そこで開閉器５の第１の配電線２ａ側と第２の配電線２ｂ側の電圧位相の差を位相差検出器９で検出し、電圧位相の差∠Ｖａ―∠Ｖｂで、∠Ｖａ―∠Ｖｂ＞０（つまり∠Ｖａが∠Ｖｂに対して進み位相）であれば、
【００２０】
（１）第１の配電線２ａの分散電源３ａの有効及び無効電力の少なくともいずれか一方を制御して電力出力ＰＧａを減少させ、負荷４ａの有効及び無効電力の少なくともいずれか一方を制御して消費電力ＰＬａを増加させれば、位相は遅れ、
（２）第２の配電線２ｂの分散電源３ｂの有効及び無効電力の少なくともいずれか一方を制御して電力出力ＰＧｂを増加させ、負荷４ｂの有効及び無効電力の少なくともいずれか一方を制御して消費電力ＰＬｂを減少させれば、位相は進むため、
結果的に、電圧位相の差は縮小する。前記（１）と前記（２）の処理を繰り返せば、電圧位相差は縮小し、最終的に電圧位相の差がしきい値（開閉器の投入接続時の動揺が許容できる絶対値（∠Ｖａ―∠Ｖｂ）の設定値）以下となったときに、開閉器５を閉じるようにすれば、投入接続時の動揺が和らげられる。
【００２１】
前述では、第１の配電線２ａの分散電源３ａの電力出力ＰＧａ、負荷４ａの消費電力ＰＬａ、第２の配電線２ｂの分散電源３ｂの電力出力ＰＧｂ、負荷４ｂの消費電力ＰＬｂをそれぞれ制御させたが、これらのいずれか１つを制御しても、電圧位相の差を減少させることができる。
【００２２】
図４は実施の形態２における制御装置の動作を説明するフローチャートである。図４では図３の開閉器５が開放されている状態から投入される際の動作について説明している。ステップ１１において、制御装置７が分散電源３ａ，３ｂ、負荷４ａ，４ｂへ送信する指令値αを初期化する。ステップ３１において、位相検出器９より電圧位相の差∠Ｖａ―∠Ｖｂを取込む。ステップ３２において、絶対値（∠Ｖａ―∠Ｖｂ）がしきい値以下（つまり、∠Ｖａが∠Ｖｂに対して進み遅れを問わず、電圧位相の差がしきい値以下）であれば、開閉器５を投入しても突入電流は小さいと判断し、ステップ１４で開閉器５に投入指令を送信して、開閉器５を投入し両配電線２ａ，２ｂを接続する。
【００２３】
一方、ステップ３２において、絶対値（∠Ｖａ―∠Ｖｂ）がしきい値に対して大きいならば、ステップ３３において、∠Ｖａが∠Ｖｂに対して進み位相か遅れ位相かによって、αの値をＤだけ減増させる。なお、ここで、Ｄは１以下の正の値とする。∠Ｖａ―∠Ｖｂ＞０（つまり、∠Ｖａが∠Ｖｂに対して進み位相）であるとき、αの値をＤだけ減ずる（ステップ１６）。逆に、∠Ｖａ―∠Ｖｂ＞０でない（つまり、∠Ｖａが∠Ｖｂに対して遅れ位相の）とき、αの値をＤだけ増加させる（ステップ１７）。ステップ１８において、第１，第２の配電線２ａ,２ｂの分散電源３ａ,３ｂ、負荷４ａ,４ｂに、その発電量（電力出力）ＰＧａ,ＰＧｂ、負荷量（消費電力）ＰＬａ，ＰＬｂを変更、すなわち、その有効電力及び無効電力の少なくともいずれか一方を変更するように制御指令を送る。
【００２４】
このとき，ＰＧａ＝ＰＧａ×α、ＰＬａ＝ＰＬａ×（２−α）、ＰＧｂ＝ＰＧｂ×（２−α）、ＰＬｂ＝ＰＬｂ×αで制御する。例えば、発電量（電力出力）ＰＧａ,ＰＧｂ、負荷量（消費電力）ＰＬａ，ＰＬｂの各有効電力について制御変更する。各有効電力の代わりに各無効電力について制御変更してもよい。又は各有効電力の代わりに、有効電力と無効電力の両方をそれぞれ制御変更してもよい。この後、ステップ３１〜３２、ステップ３３〜１８を繰り返し、ステップ３２の条件が満たされ、絶対値（∠Ｖａ―∠Ｖｂ）がしきい値より小さくなると、ステップ１４で開閉器５に投入指令を送信し、両配電線２ａ,２ｂが接続される。
【００２５】
なお、制御装置７が、位相差検出器９で検出された電圧位相の差∠Ｖａ―∠Ｖｂを取込む例を示したが、開閉器の第１の配電線側の電圧の位相を検出する第１の位相検出器（図示せず）、及び開閉器の第２の配電線側の電圧の位相を検出する第２の位相検出器（図示せず）を備え、図４のステップ３１で、第１の位相検出器と第２の位相検出器で検出されたそれぞれの電圧位相（特定の基準に対する電圧位相）を通信手段を介して取得し、両電圧位相の差∠Ｖａ―∠Ｖｂを求め、ステップ３２以下で同様に扱うようにしてもよい。
以上のように、実施の形態２では、第１，第２の配電線２ａ，２ｂに接続されている分散電源３ａ，３ｂや負荷４ａ，４ｂを制御するので、サイリスタやリアクトルを系統に追加することなく、開閉器投入時の突入電流を和らげることができ、コストを削減できる。
【００２６】
実施の形態３．
実施の形態１では、電圧の差を小さくするように制御し、実施の形態２では、電圧位相差を小さくするように制御したが、実施の形態３では、電圧の差を小さくすると共に、電圧位相の差を小さくするように制御して、両配電線を接続させるものである。制御装置７としては、電圧計６ａ，６ｂで計測されたそれぞれの電圧又はその両電圧の差の情報を通信手段を介して取込み、両電圧の差に応じて分散電源３ａ，３ｂや負荷４ａ，４ｂを通信手段を介して両電圧の差を小さくするように制御指令する。さらに、位相差検出器９で検出された電圧位相差∠Ｖａ―∠Ｖｂの情報を通信手段を介して取込み、電圧位相差に応じて分散電源３ａ，３ｂや負荷４ａ，４ｂを通信手段を介して電圧位相差を小さくするように制御指令する。又、電圧位相差の取込みについては、開閉器の第１の配電線側の電圧の位相を検出する第１の位相検出器、及び開閉器の第２の配電線側の電圧の位相を検出する第２の位相検出器を備え、第１の位相検出器と第２の位相検出器で検出されたそれぞれの電圧位相を通信手段を介して取得し、制御装置側で両電圧位相の差∠Ｖａ―∠Ｖｂを求めるようにしてもよい。
【００２７】
このとき、両電圧の差に応じて分散型電源や負荷の有効電力を制御し、電圧位相の差に応じて分散型電源や負荷の無効電力を制御する。あるいは逆の組合せで、両電圧の差に応じて分散型電源や負荷の無効電力を制御し、電圧位相の差に応じて分散型電源や負荷の有効電力を制御するようにしてもよい。
【００２８】
両電圧の差に応じて分散型電源や負荷の有効電力を制御するには、例えば、図２に従って、第１の配電線２ａの分散電源３ａの電力出力ＰＧａ、負荷４ａの消費電力ＰＬａ、第２の配電線２ｂの分散電源３ｂの電力出力ＰＧｂ、負荷４ｂの消費電力ＰＬｂにおけるそれぞれの有効電力を制御し、両電圧の差をしきい値より小さくする。さらに、電圧位相の差に応じて分散型電源や負荷の無効電力を制御するには、例えば、図４に従って、第１の配電線２ａの分散電源３ａの電力出力ＰＧａ、負荷４ａの消費電力ＰＬａ、第２の配電線２ｂの分散電源３ｂの電力出力ＰＧｂ、負荷４ｂの消費電力ＰＬｂにおけるそれぞれの無効電力を制御し、電圧位相の差をしきい値より小さくする。
【００２９】
両電圧の差がしきい値より小さくなり、且つ、電圧位相の差がしきい値より小さくなると、開閉器５を通信手段を介して投入制御指令して、両配電線２ａ，２ｂを接続する。  以上のように、実施の形態３では、第１，第２の配電線２ａ，２ｂに接続されている分散電源３ａ，３ｂや負荷４ａ，４ｂを制御するので、サイリスタやリアクトルを系統に追加することなく、開閉器投入時の突入電流を和らげることができ、コストを削減できる。
【図面の簡単な説明】
【００３０】
【図１】この発明の実施の形態１における系統連系装置を示す構成図である。
【図２】実施の形態１における制御装置の動作を説明するフローチャートである。
【図３】実施の形態２における系統連系装置を示す構成図である。
【図４】実施の形態２における制御装置の動作を説明するフローチャートである。
【符号の説明】
【００３１】
１  変電所                              ２  配電線
３  分散電源                            ４  負荷
５  開閉器                              ６  電圧計
７  制御装置                            ８  通信ネットワーク
９  位相差検出器
【図１】
2010022177.tif 000003
【図２】
2010022177.tif 000004
【図３】
2010022177.tif 000005
【図４】
2010022177.tif 000006